(57)【要約】  【課題】  プロジェクタ用の直流ランプの逆接続を検知し、該逆接続を検出したときに、該直流ランプがダメージを受けない又はダメージを最小にとどめることができるプロジェクタを提供する。  【解決手段】  直流ランプ１に駆動用電力を供給している電源装置Ｇｅと、電源装置を制御する制御用マイコンＭｃと、直流ランプ１と電源装置Ｇｅの間の電圧を検知する逆接続検出回路７と、制御用マイコンＭｃと接続された逆接続警告ランプＷＬとを有している。【選択図】      図２
2006011085.tif 000002
【特許請求の範囲】
【請求項１】
光源である直流ランプと、
前記直流ランプより出射された光の光強度を均一化するライトトンネルと、
Ｒ／Ｇ／Ｂのカラーフィルタが円盤状に配列されているカラーホイールと、
前記カラーホイールを透過した光を反射する反射板を備えたＤＭＤ（登録商標）と、
光を吸収する光吸収板と、
光をスクリーンに投影する投影レンズと、
前記直流ランプに駆動用電力を供給している電源装置と、
前記電源装置を制御する制御用マイコンと、
ランプの逆接続を検出する逆接続検出回路とを有するプロジェクタであって、
前記逆接続検出回路は前記電源装置から前記直流ランプに供給される電力における電圧
の変化を検出し、該電圧値を制御用マイコンに送信しており、
前記逆接続検出回路は、前記電源装置と前記直流ランプの間の電力供給ラインにコンデ
ンサを介して接続されており、その一端に前記コンデンサよりの入力信号が入力される抵
抗と、前記抵抗の他端にアノード側電極が接続されたダイオードと、前記ダイオードのカ
ソード側電極に一端が接続されるとともに他端が接地されたコンデンサと、前記ダイオー
ドのカソード側電極と前記コンデンサの一端との接続ノードにカソード側電極が接続され
ると共にアノード側電極が接地されるツェナーダイオードとを有しており、前記接続ノー
ドが前記制御用マイコンと接続しており、
前記制御用マイコンは前記逆接続検出回路より入力された電圧が所定の電圧を超えたと
きに、前記プロジェクタ本体に取り付けられた逆接続警告ランプを点灯させ、一定時間経
過後に前記電源装置より前記直流ランプへの電力の供給を中止することを特徴とするプロ
ジェクタ。
【請求項２】
スクリーンに光を照射することで、所定の画像を該スクリーン上に投影するプロジェク
タであって、
前記プロジェクタは光源である直流ランプと、
前記直流ランプに駆動用電力を供給している電源装置と、
前記電源装置を制御する制御用マイコンと、
ランプの逆接続を検出する逆接続検出回路とを有しており、
前記逆接続検出回路は前記電源装置から前記直流ランプに供給される電力における電圧
の変化を検出し、該電圧値を制御用マイコンに送信しており、
前記逆接続検出回路は、前記電源装置と前記直流ランプの間の電力供給ラインにコンデ
ンサを介して接続されており、その一端に前記コンデンサよりの入力信号が入力される抵
抗と、前記抵抗の他端にアノード側電極が接続されたダイオードと、前記ダイオードのカ
ソード側電極に一端が接続されるとともに他端が接地されたコンデンサと、前記ダイオー
ドのカソード側電極と前記コンデンサの一端との接続ノードにカソード側電極が接続され
ると共にアノード側電極が接地されるツェナーダイオードとを有しており、前記接続ノー
ドが前記制御用マイコンと接続しており、
前記制御用マイコンは前記逆接続検出回路より入力された電圧が所定の電圧を超えたと
きに、前記プロジェクタ本体に取り付けられた逆接続警告ランプを点灯させ、一定時間経
過後に前記電源装置より前記直流ランプへの電力の供給を中止することを特徴とするプロ
ジェクタ。
【請求項３】
スクリーンに光を照射することで、所定の画像を該スクリーン上に投影するプロジェク
タであって、
前記プロジェクタは光源である直流ランプと、
前記直流ランプに駆動用電力を供給している電源装置と、
前記電源装置を制御する制御用マイコンと、
ランプの逆接続を検出する逆接続検出回路とを有しており、
前記逆接続検出回路はピークホールド回路であり、前記電源装置から前記直流ランプに
供給される電力における電圧の変化を検出し、該電圧値を制御用マイコンに送信しており
、
前記制御用マイコンは前記逆接続検出回路より入力された電圧が所定の電圧を超えたと
きに、前記プロジェクタ本体に取り付けられた逆接続警告ランプを点灯させ、一定時間経
過後に前記電源装置より前記直流ランプへの電力の供給を中止することを特徴とするプロ
ジェクタ。
【請求項４】
光源である直流ランプと、前記直流ランプに駆動用電力を供給している電源装置と、前
記電源装置を制御する制御用マイコンとを有し、スクリーンに光を照射することで、所定
の画像を該スクリーン上に投影するプロジェクタに備えられた前記ランプの逆接続を検出
する逆接続検出回路であって、
前記電源装置から前記直流ランプに供給される電力における電圧の変化を検出し、該電
圧値を制御用マイコンに送信しており、
前記電源装置と前記直流ランプの間の電力供給ラインにコンデンサを介して接続されて
おり、その一端に前記コンデンサよりの入力信号が入力される抵抗と、前記抵抗の他端に
アノード側電極が接続されたダイオードと、前記ダイオードのカソード側電極に一端が接
続されるとともに他端が接地されたコンデンサと、前記ダイオードのカソード側電極と前
記コンデンサの一端との接続ノードにカソード側電極が接続されると共にアノード側電極
が接地されるツェナーダイオードとを有しており、前記接続ノードが前記制御用マイコン
と接続していることを特徴とするプロジェクタ用ランプの逆接続検出回路。
【請求項５】
光源である直流ランプと、前記直流ランプに駆動用電力を供給している電源装置と、前
記電源装置を制御する制御用マイコンとを有し、スクリーンに光を照射することで、所定
の画像を該スクリーン上に投影するプロジェクタに備えられた前記ランプの逆接続を検出
する逆接続検出回路であって、
前記電源装置から前記直流ランプに供給される電力における電圧の変化を検出し、該電
圧値を制御用マイコンに送信するピークホールド回路を備えたことを特徴とするプロジェ
クタ用ランプの逆接続検出回路。
【発明の詳細な説明】
【技術分野】
【０００１】
本発明は、プロジェクタ及びプロジェクタ用ランプの逆接続防止装置に関するものであ
る。
【背景技術】
【０００２】
近年、プレゼンテーションやホームシアター等にスクリーンに光を照射して映像を投影
するプロジェクタが多く用いられている。前記プロジェクタはスクリーンへの投影の方法
等の異なるものが複数種類存在している。
【０００３】
前記複数種類のプロジェクタの一例として、ＤＬＰ（Digital Light Processing）（登
録商標）技術を利用したプロジェクタをもとに、該プロジェクタの構造を説明する。図１
にＤＬＰ(登録商標)技術を利用したプロジェクタの概略配置図を示す。図１に示すプロジ
ェクタＡは、光源である直流ランプ１と、光源より出射された光の光強度を均一化するラ
イトトンネル２、光をＲＧＢの各成分の波長に順次偏光するカラーホイール３と、光を反
射するＤＭＤ（Digital Micromirror Device)（登録商標）４と、光吸収板５と、投影レ
ンズ６とを有している。光源としてここでは白色ランプを採用しているが、白色ランプ以
外にもＲＧＢ全ての波長の光を有する光を出射する光源を広く採用することができる。
【０００４】
プロジェクタＡの動作は次のとおりである。直流ランプ１より出射した光は、光強度を
均一化するライトトンネル２を通過しカラーホイール３に照射される。カラーホイール３
は高速且つ等速で回転しており、カラーホイール３に照射された光はＲ／Ｇ／Ｂの各領域
のいずれかを通過する。このとき、Ｒ領域を透過した光は赤色の波長の光に偏光され、Ｇ
領域を透過した光は緑色の波長の光に偏光され、Ｂ領域を透過した光は青色の波長の光に
偏光される。これらの各色波長の光は連続してＤＭＤ（登録商標）４に照射される。
【０００５】
ＤＭＤ（登録商標）４は照射される光を所定の方向に反射するものであり、カラーホイ
ール３を通過してきた赤、緑、青の各波長の光のうち必要なものを投影レンズ６に反射し
、不要なものを光吸収板５に反射する。投影レンズ６に入射した光は拡大されスクリーン
Ｓｃに照射、表示される。カラーホイール３は上述したとおり高速回転しており、ＤＭＤ
（登録商標）４で選択的に反射されたＲＧＢの波長の光が順次スクリーンに照射されると
、人間の目はＤＭＤ（登録商標）４の反射量に対応するＲＧＢの各波長の光を合成した色
として認識する。
【０００６】
上述の例ではＤＭＤ（登録商標）を利用したプロジェクタを例に説明しているが、その
他の方式のプロジェクタでもＤＭＤ（登録商標）を利用したプロジェクタと同様の光源を
有しているものも多数存在する。
【特許文献１】特開平９−２３０５０１号公報
【発明の開示】
【発明が解決しようとする課題】
【０００７】
前記プロジェクタに用いられている光源である直流ランプは消耗品であり、消耗の度合
いが大きくなってくると表示品質が低下したり、発熱量が変化したり等の変化が現れるの
で取り替えなくてはならない。
【０００８】
しかしながら、前記直流ランプには極性があり、その極性を逆に接続した場合、直流ラ
ンプの中で異常アークが発生し、該直流ランプより出射される光の光量が安定せず、最悪
の場合前記直流ランプの電極を破損してしまい、過大なダメージを与えてしまう。
【０００９】
また、前記直流ランプは消耗品であり、プロジェクタは前記直流ランプを交換すること
を前提に設計されており、コネクタ形状等で物理的に逆接続を防止するように構成されて
いる。しかしながら、製造工程においてはラインの組み換え、治具の補修等で接続ミスが
起こりやすく、物理的には順方向に接続しても、電気的には逆方向に接続されていること
も起こりえる。
【００１０】
そこで本発明は、プロジェクタ用の直流ランプの逆接続を検知し、該逆接続を検出した
ときに、該直流ランプがダメージを受けない又はダメージを最小にとどめることができる
プロジェクタ及びプロジェクタ用ランプの逆接続検出回路を提供することを目的とする。
【００１１】
また本発明は、製造時のプロジェクタ用の直流ランプの逆接続を早期に検出し、該直流
ランプへのダメージを最小限に抑えることで、製品の信頼性を高めることができるプロジ
ェクタ及びプロジェクタ用ランプの逆接続検出回路を提供することを目的とする。
【課題を解決するための手段】
【００１２】
上述の目的を達成するために請求項１にかかる発明は、光源である直流ランプと、前記
直流ランプより出射された光の光強度を均一化するライトトンネルと、Ｒ／Ｇ／Ｂのカラ
ーフィルタが円盤状に配列されているカラーホイールと、前記カラーホイールを透過した
光を反射する反射板を備えたＤＭＤ（登録商標）と、光を吸収する光吸収板と、光をスク
リーンに投影する投影レンズと、前記直流ランプに駆動用電力を供給している電源装置と
、前記電源装置を制御する制御用マイコンと、ランプの逆接続を検出する逆接続検出回路
とを有するプロジェクタであって、前記逆接続検出回路は前記電源装置から前記直流ラン
プに供給される電力における電圧の変化を検出し、該電圧値を制御用マイコンに送信して
おり、前記逆接続検出回路は、前記電源装置と前記直流ランプの間の電力供給ラインにコ
ンデンサを介して接続されており、その一端に前記コンデンサよりの入力信号が入力され
る抵抗と、前記抵抗の他端にアノード側電極が接続されたダイオードと、前記ダイオード
のカソード側電極に一端が接続されるとともに他端が接地されたコンデンサと、前記ダイ
オードのカソード側電極と前記コンデンサの一端との接続ノードにカソード側電極が接続
されると共にアノード側電極が接地されるツェナーダイオードとを有しており、前記接続
ノードが前記制御用マイコンと接続しており、前記制御用マイコンは前記逆接続検出回路
より入力された電圧が所定の電圧を超えたときに、前記プロジェクタ本体に取り付けられ
た逆接続警告ランプを点灯させ、一定時間経過後に前記電源装置より前記直流ランプへの
電力の供給を中止することを特徴とするプロジェクタを提供する。
【００１３】
この構成によると、前記電源装置から前記直流ランプに供給される駆動電力の電圧を検
出する。これによって前記直流ランプが逆接続されているかどうかを電源投入と同時に判
断することが可能である。また、電圧の過渡的な変化が一定の値を超えると、警告ランプ
を点灯したのち、所定の時間経過後、前記直流ランプへの電力の供給を停止する。前記直
流ランプを逆接続した場合も長時間逆接続状態を続けることで、該直流ランプのダメージ
が大きくなるのを防止することができる。
【００１４】
上述の目的を達成するために請求項２にかかる発明は、スクリーンに光を照射すること
で、所定の画像を該スクリーン上に投影するプロジェクタにおいて、前記プロジェクタは
光源である直流ランプと、前記直流ランプに駆動用電力を供給している電源装置と、前記
電源装置を制御する制御用マイコンと、ランプの逆接続を検出する逆接続検出回路とを有
しており、前記逆接続検出回路は前記電源装置から前記直流ランプに供給される電力にお
ける電圧の変化を検出し、該電圧値を制御用マイコンに送信しており、前記逆接続検出回
路は、前記電源装置と前記直流ランプの間の電力供給ラインにコンデンサを介して接続さ
れており、その一端に前記コンデンサよりの入力信号が入力される抵抗と、前記抵抗の他
端にアノード側電極が接続されたダイオードと、前記ダイオードのカソード側電極に一端
が接続されるとともに他端が接地されたコンデンサと、前記ダイオードのカソード側電極
と前記コンデンサの一端との接続ノードにカソード側電極が接続されると共にアノード側
電極が接地されるツェナーダイオードとを有しており、前記接続ノードが前記制御用マイ
コンと接続しており、前記制御用マイコンは前記逆接続検出回路より入力された電圧が所
定の電圧を超えたときに、前記プロジェクタ本体に取り付けられた逆接続警告ランプを点
灯させ、一定時間経過後に前記電源装置より前記直流ランプへの電力の供給を中止するこ
とを特徴とするプロジェクタを提供する。
【００１５】
この構成によると、前記直流ランプを用いたプロジェクタの該直流ランプの逆接続を検
出することができる。前記直流ランプが逆接続であることを瞬時に検出、警告することが
できる。これにより、配線の間違い等で前記直流ランプが逆接続された場合でも、電源投
入と同時に逆接続されていることを検出、警告及び電力供給のストップを行うので前記直
流ランプへのダメージを低減することができる。
【００１６】
上述の目的を達成するために請求項３にかかる発明は、スクリーンに光を照射すること
で、所定の画像を該スクリーン上に投影するプロジェクタであって、前記プロジェクタは
光源である直流ランプと、前記直流ランプに駆動用電力を供給している電源装置と、前記
電源装置を制御する制御用マイコンと、ランプの逆接続を検出する逆接続検出回路とを有
しており、前記逆接続検出回路はピークホールド回路であり、前記電源装置から前記直流
ランプに供給される電力における電圧の変化を検出し、該電圧値を制御用マイコンに送信
しており、前記制御用マイコンは前記逆接続検出回路より入力された電圧が所定の電圧を
超えたときに、前記プロジェクタ本体に取り付けられた逆接続警告ランプを点灯させ、一
定時間経過後に前記電源装置より前記直流ランプへの電力の供給を中止することを特徴と
するプロジェクタを提供する。
【００１７】
この構成によると、前記逆接続検出回路として既存のピークホールド回路を採用してい
るので、前記逆接続検出回路用の新たな回路を設計しなくてもよく、それだけ、製造コス
トを低減することができる。
【００１８】
上述の目的を達成するために請求項４にかかる発明は、光源である直流ランプと、前記
直流ランプに駆動用電力を供給している電源装置と、前記電源装置を制御する制御用マイ
コンとを有し、スクリーンに光を照射することで、所定の画像を該スクリーン上に投影す
るプロジェクタに備えられた前記ランプの逆接続を検出する逆接続検出回路であって、前
記電源装置から前記直流ランプに供給される電力における電圧の変化を検出し、該電圧値
を制御用マイコンに送信しており、前記電源装置と前記直流ランプの間の電力供給ライン
にコンデンサを介して接続されており、その一端に前記コンデンサよりの入力信号が入力
される抵抗と、前記抵抗の他端にアノード側電極が接続されたダイオードと、前記ダイオ
ードのカソード側電極に一端が接続されるとともに他端が接地されたコンデンサと、前記
ダイオードのカソード側電極と前記コンデンサの一端との接続ノードにカソード側電極が
接続されると共にアノード側電極が接地されるツェナーダイオードとを有しており、前記
接続ノードが前記制御用マイコンと接続していることを特徴とするプロジェクタ用ランプ
の逆接続検出回路を提供する。
【００１９】
この構成によると、前記逆接続検出回路にて前記プロジェクタの所定の位置の電圧を検
出することで、該プロジェクタに備えられている直流ランプの逆接続を検出することがで
きる。これにより、前記直流ランプの逆接続を前記プロジェクタの電源投入と同時又は略
同時に検出することができる。
【００２０】
上述の目的を達成するために請求項５にかかる発明は、光源である直流ランプと、前記
直流ランプに駆動用電力を供給している電源装置と、前記電源装置を制御する制御用マイ
コンとを有し、スクリーンに光を照射することで、所定の画像を該スクリーン上に投影す
るプロジェクタに備えられた前記ランプの逆接続を検出する逆接続検出回路であって、前
記電源装置から前記直流ランプに供給される電力における電圧の変化を検出し、該電圧値
を制御用マイコンに送信するピークホールド回路を備えたことを特徴とするプロジェクタ
用ランプの逆接続検出回路を提供する。
【００２１】
この構成によると、前記逆接続検出回路として、既存のピークホールド回路を採用して
おり、新たに電圧を検出する回路を設計しなくてもよく、それだけ、製造コストを低減す
ることができる。
【発明の効果】
【００２２】
本発明によると、プロジェクタ用の直流ランプの逆接続を検知し、該逆接続を検出した
ときに、該直流ランプがダメージを受けない又はダメージを最小にとどめることができる
。
【００２３】
また本発明によると、製造時のプロジェクタ用の直流ランプの逆接続を早期に検出し、
該直流ランプへのダメージを最小限に抑えることで、製品の信頼性を高めることができる
。
【発明を実施するための最良の形態】
【００２４】
本発明を実施するための最良の形態について図面を参照して説明する。図１に本発明に
かかるプロジェクタの一例の概略図を示す。図１に示すプロジェクタＡは、光を出力する
直流ランプ１と、直流ランプ１より出射された光の光強度を均一化するライトトンネル２
と、ライトトンネル２より出射された光を、該光が透過するときにＲＧＢのいずれかの色
の波長に偏光する透過型の液晶フィルタ３と、液晶フィルタ３を透過してきた光を反射す
る反射板を多数有するＤＭＤ（登録商標）４と、ＤＭＤ（登録商標）４で反射する光のう
ち、不要な光を照射して光を吸収させる光吸収板５と、ＤＭＤ(登録商標）４にて反射さ
れてきた光を拡大してスクリーンＳｃに投影する投影レンズ６とを有している。
【００２５】
プロジェクタＡの投影動作は次に示すとおりである。まず、白色ランプ１を出射した光
は一旦ライトトンネル２を通過し光強度を均一化した後、液晶フィルタ３に照射される。
液晶フィルタ３を透過してきた光は、ＤＭＤ（登録商標）４にて反射され、映像を投影す
るのに必要な光は投影レンズ６に、不要な光は光吸収板５に照射される。投影レンズ６に
照射された光は拡大され、スクリーンＳｃに照射されることで、スクリーンＳｃ上に映像
が投影される。
【００２６】
図２に本発明にかかるプロジェクタの電力供給部の配置図を示す。図２に示す電力供給
部Ｐｓは、直流ランプ１に駆動用電力を供給している電源装置Ｇｅと、電源装置を制御す
る制御用マイコンＭｃと、直流ランプ１と電源装置Ｇｅの間の電圧を検知する逆接続検出
回路７と、制御用マイコンＭｃと接続された逆接続警告ランプＷＬとを有している。制御
用マイコンＭｃはＤＭＤ（登録商標）４の反射角度の制御も行っている。
【００２７】
逆接続検出回路７は電源装置Ｇｅから直流ランプ１に駆動用電力を供給する電力供給ラ
インＳＬに第１コンデンサ８を介して接続されている。また、第１コンデンサ８が接続さ
れていない方の端部は制御用マイコンＭｃに接続されている。逆接続検出回路７は、電源
装置Ｇｅから直流ランプ１供給される電力の電圧を検知している。第１コンデンサ８は、
電力供給ラインＳＬより逆接続検出回路７に直接電流が流れないようにするため、取り付
けられている。
【００２８】
図３に直流ランプの電圧の変化を示すグラフを、図４に本発明にかかる逆接続検出回路
の一例のブロック図を示す。
【００２９】
プロジェクタＡは直流ランプ１より出射される光の光量が一定になるように電源装置Ｇ
ｅより直流ランプ１に駆動電圧を供給している。直流ランプ１を極性を間違わずに接続し
た場合、図３に示すように、電源装置Ｇｅから直流ランプ１に供給される電力は略一定の
電圧で供給される。しかし、直流ランプ１の極性を逆に接続した場合、直流ランプ１内の
電極に異常アークが発生するので、電源装置Ｇｅから直流ランプ１に供給される電圧が安
定しない（図３参照）。
【００３０】
この不安定な電圧に着目し逆接続検出回路７は、電源装置Ｇｅから直流ランプ１に供給
される電圧を検出するものである。図４に示す逆接続検出回路７は第１コンデンサ８より
の入力信号（電圧）が入力される抵抗７１と、抵抗７１の第１コンデンサ８が取り付けら
れるのと反対側の端部にアノード側電極７２ａが接続されたダイオード７２と、ダイオー
ド７２のカソード側電極７２ｃに一端が接続されるとともに他端が設置される第２コンデ
ンサ７３と、ダイオード７３のカソード側電極７２ｃと第２コンデンサ７３の一端との接
続ノードＤｎにカソード側電極７４ｃが接続されると共にアノード側電極７４ａが接地さ
れるツェナーダイオード７４とを有している。また、接続ノードＤｎは制御用マイコンＭ
ｃに接続している。
【００３１】
電源装置Ｇｅより直流ランプ１に電力が供給されると、第１コンデンサ８に電位差（電
圧）が生じる。この電位差により抵抗７１に電流が流れ、ダイオード７２を介して第２コ
ンデンサ７３に電荷を蓄積する。このときの第２コンデンサ７３の電圧を制御用マイコン
Ｍｃに出力信号として出力する。
【００３２】
例えば、直流ランプ１が正方向に接続されている場合、（図３に示すように一定の電圧
が印加している場合）、電力供給後、抵抗７１に電流が流れ第２コンデンサ７３に蓄積さ
れる電荷は増加していき、第２コンデンサ７３の電圧が、電源装置Ｇｅから直流ランプ１
に供給される電力の電圧と同じになったときに、抵抗７１に電流が流れなくなる。このと
き、電源装置Ｇｅより直流ランプ１に供給される電圧が減少したとしても、ダイオード７
２が設置されているので、第２コンデンサ７３から放電されることはなく、第２コンデン
サはそれまで印加された最高電圧を保持する。
【００３３】
もし直流ランプ１が逆方向に接続されており、図３に示すように電圧が過渡的に上昇降
下する場合、第１コンデンサ８の電圧が第２コンデンサ７３が保持している電圧よりも大
きい場合、抵抗７１に電流が発生し、第２コンデンサ７３に電荷が蓄積されていく。これ
により、第２コンデンサ７３のでんあつが上昇する。その後、逆に電源装置Ｇｅより供給
される電力の電圧が降下しても上述したように、第２コンデンサ７３の電圧は降下しない
。
【００３４】
この第２コンデンサ７３の電圧が所定の電圧よりも高くなると、第２コンデンサ７３の
電圧が一定値よりも高くなった信号を制御用マイコンＭｃに対し出力する。制御用マイコ
ンＭｃは逆接続警告ランプＷＬに電力を供給して逆接続警告ランプＷＬを点灯させる。ま
た、一定時間経過後、電源装置Ｇｅに電源制御信号を出力し、電源装置Ｇｅより直流ラン
プ１に供給されている駆動電力を停止する。
【００３５】
また、ツェナーダイオード７４は印加される逆方向電圧が一定以上になるとカソード側
電極７４ｃからアノード側電極７４ａに電流が流れるものであり、第２コンデンサ７３の
保持している電圧が一定以上になると、第２コンデンサ７３に蓄積された電荷はツェナー
ダイオード７４を介して放電される。これにより、第２コンデンサ７３の電圧は一定電圧
以上上昇しない。
【００３６】
以上のようにして、第２コンデンサ７３が直流ランプ１の逆接続時に発生する過渡的な
電圧の上昇を保持し、その電圧を制御用マイコンＭｃに信号として送ることで、警告を発
すると共に、電力供給を停止し直流ランプ１の逆接続によるダメージの増大を未然に防ぐ
ことができる。
【００３７】
上述の実施例では、プロジェクタとしてＤＭＤ（登録商標）を用いたものに逆接続検出
回路を適用したものを例に説明しているが、それに限定されるものではなく、液晶プロジ
ェクタ等、光源として直流ランプを用いるプロジェクタを広く採用することができる。
【００３８】
上述した逆接続検出回路は以上説明したものに限定されるものではなく、例えばピーク
ホールド回路等の電源装置Ｇｅから直流ランプ１への駆動電力の電圧の最大値を検出、保
持することができる回路を広く採用することができる。
【００３９】
また、上述の実施例では逆接続であることを知らせるために、逆接続警告ランプを点灯
するものを採用しているが、それに限定されるものではなく、検査する人間が素早く逆接
続に気付く警告方法を広く採用することができる。
【図面の簡単な説明】
【００４０】
【図１】プロジェクタの一例の概略配置図である。
【図２】本発明にかかるプロジェクタに用いられている電力供給部の一例の配置図である。
【図３】直流ランプを順方向及び逆方向に接続したときの該直流ランプの駆動電力の電圧変化を示すグラフである。
【図４】図２に示す電力供給部に用いられている逆接続検出回路の一例のブロック図である。
【符号の説明】
【００４１】
Ａ  プロジェクタ
１  直流ランプ
２  ライトトンネル
３  カラーホイール
４  ＤＭＤ（登録商標）
５  光吸収板
６  投影レンズ
７  逆接続防止回路
７１  抵抗
７２  ダイオード
７３  第２コンデンサ
７４  ツェナーダイオード
８  第１コンデンサ
Ｓｃ  スクリーン
Ｐｃ  電力供給部
Ｇｅ  電源装置
Ｍｃ  制御用マイコン
ＳＬ  電力供給ライン
【図１】
2006011085.tif 000003
【図２】
2006011085.tif 000004
【図３】
2006011085.tif 000005
【図４】
2006011085.tif 000006